(57)【要約】【課題】送信手段で認識された伝送元の信号を、受信手段にて正しく認識できるように信号のレベル補正を行い、さらには、アナログ伝送された信号に購入される外来ノイズが、Ａ／Ｄ変換時の分解能幅の中に収まるように信号のオフセットを実施してノイズの無効化を図る。【解決手段】受信側ブロック４の信号入力側の直近に、補正ブロック８が配置された点にある。補正ブロック８には、送信側ブロック２で認識された伝送元の信号が受信側ブロック４でも正しく認識されるように信号レベルを補正するレベル補正部９と、ノイズを無効化するためのオフセット部１０が設けられている。【選択図】図１
2010213110.tif 000002
【特許請求の範囲】
【請求項１】
アナログ信号を送信する送信手段と、アナログ信号を受信する受信手段と、これら送信手段及び受信手段を繋ぐ信号伝送路と、前記受信手段の受信したアナログ信号をデジタル信号に変換するＡ／Ｄ変換手段とを備えた信号伝送システムにおいて、
前記Ａ／Ｄ変換手段がＡ／Ｄ変換を行う際、前記送信手段で認識された伝送元の信号が前記受信手段にて正しく認識されるように信号レベルを補正するレベル補正手段を備えたことを特徴とするＡ／Ｄ変換での信号伝送補正システム。
【請求項２】
アナログ信号を送信する送信手段と、アナログ信号を受信する受信手段と、これら送信手段及び受信手段を繋ぐ信号伝送路と、前記受信手段の受信したアナログ信号をデジタル信号に変換するＡ／Ｄ変換手段とを備えた信号伝送システムにおいて、
前記Ａ／Ｄ変換手段の分解能レンジから最小分解能の幅を計算し、その幅の半分だけ値がずれるように信号をオフセットするオフセット手段を備えたことを特徴とするＡ／Ｄ変換での信号伝送補正システム。
【請求項３】
前記レベル補正手段は、前記送信手段の送信した最大値のアナログ信号を、前記受信手段でも最大値として認識されるように前記受信手段の受信レベルを補正するように構成したことを特徴とする請求項１又は２に記載のＡ／Ｄ変換での信号伝送補正システム。
【請求項４】
前記受信手段の出力するデジタルコードを監視する監視手段を備えたことを特徴とする請求項１〜３のいずれか１項に記載のＡ／Ｄ変換での信号伝送補正システム。
【請求項５】
前記レベル補正手段は、前記送信手段及び前記受信手段での信号レベルにおける相関が取れるように前記受信手段にて受信した信号を増幅又は減衰するように構成したことを特徴とする請求項１〜４のいずれか１項に記載のＡ／Ｄ変換での信号伝送補正システム。
【請求項６】
前記送信手段側にＤ／Ａ変換手段を設けており、前記レベル補正手段は前記Ｄ／Ａ変換手段の出力増幅レベルを変化させるように構成したことを特徴とする請求項１〜５のいずれか１項に記載のＡ／Ｄ変換での信号伝送補正システム。
【請求項７】
前記レベル補正手段は、前記Ａ／Ｄ変換手段におけるＡ／Ｄ変換時の入力読み取りレベルのレンジ幅を変化させるように構成したことを特徴とする請求項１〜６のいずれか１項に記載のＡ／Ｄ変換での信号伝送補正システム。  
【請求項８】
前記受信手段の近傍に前記レベル補正手段を配置したことを特徴とする請求項１〜７のいずれか１項に記載のＡ／Ｄ変換での信号伝送補正システム。
【請求項９】
アナログ信号を送信する送信ステップと、アナログ信号を伝送する信号伝送ステップと、アナログ信号を受信する受信ステップと、前記受信ステップにて受信したアナログ信号をデジタル信号に変換するＡ／Ｄ変換ステップとを含む信号伝送方法であって、
前記Ａ／Ｄ変換ステップにてＡ／Ｄ変換を行う際、前記送信ステップで認識された伝送元の信号が前記受信手段にて正しく認識されるように信号レベルを補正するレベル補正ステップを含むことを特徴とするＡ／Ｄ変換での信号伝送補正方法。
【請求項１０】
アナログ信号を送信する送信ステップと、アナログ信号を伝送する信号伝送ステップと、アナログ信号を受信する受信ステップと、前記受信ステップにて受信したアナログ信号をデジタル信号に変換するＡ／Ｄ変換ステップとを含む信号伝送方法であって、
前記Ａ／Ｄ変換ステップでの分解能レンジから最小分解能の幅を計算し、その幅の半分だけ値がずれるように信号をオフセットするオフセットステップを含むことを特徴とするＡ／Ｄ変換での信号伝送補正方法。
【発明の詳細な説明】
【技術分野】
【０００１】
本発明は、アナログ信号伝送経由でアナログ／デジタル変換（以下、Ａ／Ｄ変換）を行う際のレベルに関する誤認識を防ぐと共に、伝送時のアナログ信号に混入したノイズを無効化するＡ／Ｄ変換での信号伝送補正システム及びその方法に関するものである。
【背景技術】
【０００２】
一般に、音声、映像、データ等の信号伝送では、Ａ／Ｄ変換と、デジタル／アナログ変換（以下、Ｄ／Ａ変換）が広く適用されており、種々の技術が提案されている。
【０００３】
例えば、特許文献１の技術では、増幅されたアナログ信号を受け取ったＡＤコンバータにおいて、Ａ／Ｄ変換を行ってデジタル信号に変換し、このデジタル信号を光ピックアップ用の制御回路に送信する際、前記制御回路では受信したデジタル信号の値に応じて光ピックアップのレーザ源のパワー設定を調整するようになっている。
【先行技術文献】
【特許文献】
【０００４】
【特許文献１】特表２００６−５２７４５３号公報
【発明の概要】
【発明が解決しようとする課題】
【０００５】
ところで、アナログ形式で伝送された信号をデジタル形式に変換する場合に、現実的な観点から、ピークレベルが大まかに設定されることがある。また、送信及び受信に関わる回路や部品では、使用目的などに合わせて組合せや選定は慎重な配慮がなされているものの、性能にバラつきが出ることは否めない。
【０００６】
このようにピークレベル設定が大まかであったり、送受信に関わる回路や部品にバラつきがある場合、送信側と受信側では認識される信号レベルが異なることになる。この点について具体的に図４を用いて説明する。伝送元（送信側）に図４の（Ａ）のような信号があったとする。ここでは分解能レンジがＭＡＸ『２０』でアナログ５Ｖとしている。
【０００７】
この信号を伝送先に伝送してＡ／Ｄ変換した場合、伝送先（受信側）で同じＭＡＸ『２０』の分解能レンジであっても、送信側アナログ出力レベルと受信側アナログ入力レベルとが異なれば、『２０』と判断する時のアナログレベルが違ってくる。このため、伝送元で分解能レンジがＭＡＸ『２０』だった信号は、図４の（Ｂ）に示すように、受信側では『２０』とは認識されずに、本来のレベルよりも小さい値である『１６』として扱われて変換処理されてしまった。
【０００８】
すなわち、アナログ信号の送信側がピークとして捉えて出力したにもかかわらず、受信側では、送信側での認識とは異なるレベルで信号を扱うことになってしまう。この信号はＡ／Ｄ変換した後のデジタルコードはピークとして正しく処理されていないことになる。
【０００９】
以上のようにして、送信側のアナログ出力レベルと受信側のアナログ入力レベルとが異なることで、送信側のピークレベルが受信側にて誤って認識されるが、この誤認識はピークレベルだけに止まらない。すなわち、０〜ピーク間で分解能レンジによって等間隔に存在する変換用の各閾値に関しても、本来の信号レベルの変化とは異なる部分に点在することになる。
【００１０】
図４のグラフで言えば、図４（Ａ）において伝送元では分解能レンジが『１６』だった信号は、図４（Ｂ）の伝送先では『１３』で処理されてしまい、同じく伝送元では分解能レンジが『４』だった信号は、伝送先ではほぼ『３』で処理されてしまう。このように、送信側と受信側とで、信号レベルに関する認識がずれていると、ピークレベルだけでなく、中間レベル域のアナログ信号についても、誤ったレベルでデジタルコードへと変換処理されることになる。
【００１１】
また、Ａ／Ｄ変換での信号伝送において、レベル補正が要求される例としては、次のようなケースもある。すなわち、同時に処理される複数のアナログ信号があって、伝送元の信号が同じレベルであった場合、入出力デバイス性能や伝送時のフィルター部品、さらにはパターン等の影響を受けて、伝送先でＡ／Ｄ変換されると、デジタルレベルにずれが生じるケースがある。具体的に言えば、映像のアナログＲＧＢ信号で各信号レベルがずれた形でＡ／Ｄ変換されると、映像表示の色が偏って、赤が強くなったり、緑が強くなったりしてしまう。
【００１２】
さらに、元データがデジタル形式だった場合、そのままの形式で信号伝送を長距離で行うと、デジタル伝送時のノイズ輻射等が懸念される。そのため、音声や映像の信号は通常、Ｄ／Ａ変換してアナログ伝送を行うケースが多い。しかしながら、長距離のアナログ伝送時は、信号が他からノイズが混入する可能性が高く、外来ノイズが原因となって、アナログ伝送された信号が、伝送先で誤ったレベルで処理されてしまうといった不具合がある。
【００１３】
この点に関して、図５を参照して詳しく説明する。図５では、アナログ伝送された信号に外来からノイズが混入したことで、本来の信号レベルが受信側のＡ／Ｄ変換の分解能閾値に近似した場合を示している。この時、ノイズの影響を受けた信号は、送信側の伝送元では安定していたにも関わらず、受信側の伝送先では微振動する信号として認識されることになる。
【００１４】
ここで、微振動の原因たるノイズがＡ／Ｄ変換の分解能閾値を跨いだ場合（図５では『３』『４』閾値と、『７』『８』閾値を跨いでいる）、伝送先では、本来の信号とは異なる誤ったレベルで処理されることになる。その結果、Ａ／Ｄ変換後のデジタル出力値は不安定になり、誤動作の招く要因になりかねなかった。
【００１５】
分解能閾値のポイントは、Ａ／Ｄ変換ブロックの性能によっても異なるが、通常、数十〜数千ポイント程度は存在する。そのため、Ｄ／Ａ変換したアナログ信号をＡ／Ｄ変換するに際して、ノイズの乗った信号レベルが、どこかの閾値ポイントと近似する可能性は高い。すなわち、前記ノイズの乗った信号が分解能閾値を跨ぐ確率は非常に高く、これを回避することは極めて困難である。
【００１６】
本発明は、以上の課題を解消するために提案されたものであり、その目的は、アナログ伝送時に、送信側で認識した元信号のレベルに関して正確なＡ／Ｄ変換処理を実施し、ピークレベルはピークレベルとして、また各中間レベルはその相対的なレベルとして元データに基づいて正しく忠実にデジタルコード処理可能であり、さらにはアナログ伝送時に混入した外来ノイズをＡ／Ｄ変換時に無効化することにより、Ａ／Ｄ変換時のデジタル出力値を本来の信号として扱って正確な信号伝送を実現する、信頼性の高いＡ／Ｄ変換での信号伝送補正システム及びその方法を提供することにある。
【課題を解決するための手段】
【００１７】
上記目的を達成するために、請求項１の発明は、アナログ信号を送信する送信手段と、アナログ信号を受信する受信手段と、これら送信手段及び受信手段を繋ぐ信号伝送路と、前記受信手段の受信したアナログ信号をデジタル信号に変換するＡ／Ｄ変換手段とを備えた信号伝送システムにおいて、前記Ａ／Ｄ変換手段がＡ／Ｄ変換を行う際、前記送信手段で認識された伝送元の信号が前記受信手段にて正しく認識されるように信号レベルを補正するレベル補正手段を備えたことを特徴としている。
【００１８】
また、請求項９の発明は、アナログ信号を送信する送信ステップと、アナログ信号を伝送する信号伝送ステップと、アナログ信号を受信する受信ステップと、前記受信ステップにて受信したアナログ信号をデジタル信号に変換するＡ／Ｄ変換ステップとを含む信号伝送方法であって、前記Ａ／Ｄ変換ステップにてＡ／Ｄ変換を行う際、前記送信ステップで認識された伝送元の信号が前記受信手段にて正しく認識されるように信号レベルを補正するレベル補正ステップを含むことを特徴としている。
【００１９】
以上の構成を有する本発明では、Ａ／Ｄ変換手段にてＡ／Ｄ変換を行う際、送信手段で認識された伝送元の信号について受信手段にて正しく認識されるように、レベル補正手段により信号レベルを補正する。すなわち、レベル補正手段により信号レベルを補正すると、送信手段側でピークレベルとして認識された信号は、受信手段でも同じくピークレベルとして認識することができ、また各中間レベルについても、送信手段側及び受信手段側において、相対的なレベルを正しく認識することができる。
【００２０】
このように本発明においては送信手段が小さい信号レベルとして捉えたものは受信手段でも小さいものとして捉え、送信手段が大きい信号レベルとして捉えたものは受信手段でも大きいものとして捉えることができる。そのため、伝送元のデータに忠実に正しくデジタルコード処理を実施することが可能である。
【００２１】
この結果、たとえピークレベル設定が大まかであったり、送受信に関する回路や部品にバラつきがあったり、さらには同時に処理される複数のアナログ信号が同じレベルであったとしても、レベル補正手段にて信号のレベル補正を実施することで、アナログ伝送される伝送元の信号レベルに関して、受信手段側での信号の誤認識を回避することができ、正確な信号伝送が実現する。
【００２２】
請求項２の発明は、アナログ信号を送信する送信手段と、アナログ信号を受信する受信手段と、これら送信手段及び受信手段を繋ぐ信号伝送路と、前記受信手段の受信したアナログ信号をデジタル信号に変換するＡ／Ｄ変換手段とを備えた信号伝送システムにおいて、前記Ａ／Ｄ変換手段の分解能レンジから最小分解能の幅を計算し、その幅の半分だけ値がずれるように信号をオフセットするオフセット手段を備えたことを特徴としている。
【００２３】
また、請求項１０の発明は、アナログ信号を送信する送信ステップと、アナログ信号を伝送する信号伝送ステップと、アナログ信号を受信する受信ステップと、前記受信ステップにて受信したアナログ信号をデジタル信号に変換するＡ／Ｄ変換ステップとを含む信号伝送方法であって、前記Ａ／Ｄ変換ステップでの分解能レンジから最小分解能の幅を計算し、その幅の半分だけ値がずれるように信号をオフセットするオフセットステップを含むことを特徴としている。
【００２４】
以上の構成を有する本発明の信号伝送システム及び方法では、オフセット手段がＡ／Ｄ変換手段の分解能レンジから最小分解能の幅を計算し、その幅の半分だけ値がずれるように信号をオフセットすることで、本来の信号を各分解能幅の中心に配置させることが可能となる。
【００２５】
したがって、アナログ伝送される信号に外来ノイズが混入したとしても、ノイズによる微振動はＡ／Ｄ変換時の分解能閾値を跨ぐことがなく、分解能幅の中に収まることができる。これにより、アナログ伝送に起因する外来ノイズを無効化することができ、Ａ／Ｄ変換時のデジタル出力値を本来の信号として扱うことが可能となって、正確な信号伝送が実現する。しかも、信号のオフセット処理により、送受信に関わる部品や回路におけるバラ付きによるノイズも無効化されるので、開発における工数を軽減化でき、生産効率も向上するので、経済的なメリットも大きい。
【００２６】
請求項３の発明は、請求項１又は２に記載のＡ／Ｄ変換での信号伝送補正システムにおいて、前記レベル補正手段は、前記送信手段の送信した最大値のアナログ信号を、前記受信手段でも最大値として認識されるように前記受信手段の受信レベルを補正するように構成したことを特徴としている。
【００２７】
以上の発明によれば、送信側の最大値を受信側においても最大値として認識するようにしてレベル補正を実施するが、レベル補正に際して、信号の最大値を基準としたことで、中間レベル域における誤差も吸収し易い。したがって、より正確な信号伝送が可能になる。
【００２８】
請求項４の発明は、請求項１〜３のいずれか１項に記載のＡ／Ｄ変換での信号伝送補正システムにおいて、前記受信手段の出力するデジタルコードを監視する監視手段を備えたことを特徴とするものである。この発明では、監視手段が受信手段の出力するデジタルコードをモニターするため、送信側と受信側とで認識レベルがずれていないかどうかが即座に分かる。したがって、常に正確なレベル補正を実施することが可能である。
【００２９】
請求項５の発明は、請求項１〜４のいずれか１項に記載のＡ／Ｄ変換での信号伝送補正システムにおいて、前記レベル補正手段は、前記送信手段及び前記受信手段での信号レベルにおける相関が取れるように前記受信手段にて受信した信号を増幅又は減衰するように構成したことを特徴としている。
【００３０】
請求項６の発明は、請求項１〜５のいずれか１項に記載のＡ／Ｄ変換での信号伝送補正システムにおいて、前記送信手段側にＤ／Ａ変換手段を設けており、前記レベル補正手段は前記Ｄ／Ａ変換手段の出力増幅レベルを変化させるように構成したことを特徴としている。
【００３１】
請求項７の発明は、請求項１〜６のいずれか１項に記載のＡ／Ｄ変換での信号伝送補正システムにおいて、前記レベル補正手段は、前記Ａ／Ｄ変換手段におけるＡ／Ｄ変換時の入力読み取りレベルのレンジ幅を変化させるように構成したことを特徴としている。以上の請求項５〜７の発明によれば、送信側あるいは受信側において、本発明によるレベル補正を確実に実施可能であり、高い信頼性が得られる。
【００３２】
請求項８の発明は、請求項１〜７のいずれか１項に記載のＡ／Ｄ変換での信号伝送補正システムにおいて、前記受信手段の近傍に前記レベル補正手段を配置したことを特徴とするものである。このような発明によれば、アナログ信号の伝送路の距離がたとえ長くても、受信手段の直近にレベル補正手段を配置したので、高精度な補正を確実に実施することができる。
【発明の効果】
【００３３】
本発明のＡ／Ｄ変換での信号伝送補正システム及びその方法によれば、送信手段で認識された伝送元の信号を、受信手段にて正しく認識できるように信号のレベル補正を行い、さらには、アナログ伝送された信号に混入された外来ノイズが、Ａ／Ｄ変換時の分解能幅の中に収まるように信号のオフセットを実施してノイズの無効化を図ることで、Ａ／Ｄ変換時に本来の信号として取り扱うことが可能であり、正確な信号伝送に寄与することができる。
【発明を実施するための形態】
【００３４】
以下、本発明を実施するための形態の一例について、図１〜図３を参照して具体的に説明する。図１は本実施形態の概要を示す構成図、図２は本実施形態によるレベル補正を説明するためのグラフ、図３は本実施形態によるオフセットを説明するためグラフである。
【００３５】
（１）本実施形態の構成
図１に示すように、本実施形態は、メモリ媒体１（光学メモリ、ＨＤＤ、メモリーカード等）に格納されたデジタルデータを送信側ブロック２に送り、さらに、距離的に離れた受信側ブロック４へアナログ伝送路３を用いて、アナログ形式で前記データを送る信号伝送システムである。
【００３６】
ここでは、デジタル信号としてメモリ媒体１に保管されたデジタル映像信号を、デジタルインターフェースの液晶装置へのデータ伝送を例にとって説明する。なお、伝送される信号の種類としては、もちろん映像に限らず、デジタル音声信号であっても良い。
【００３７】
送信側ブロック２にはＤ／Ａ変換部５が設置されている。送信側ブロック２はメモリ媒体１からデジタル信号を入力し、これをＤ／Ａ変換部５にてアナログ信号に変換してアナログ伝送路３へと出力するようになっている。
【００３８】
また、受信側ブロック４にはＡ／Ｄ変換部６が設置されている。受信側ブロック４はアナログ伝送路３側からアナログ信号を入力し、これをＡ／Ｄ変換部６にてデジタル信号に変換するようになっている。さらに、受信側ブロック４の出力側にはデジタルコードを監視するための出力監視部７が設けられている。
【００３９】
本実施形態の特徴は、受信側ブロック４の信号入力側の直近に、補正ブロック８が配置された点にある。補正ブロック８には、レベル補正部９と、オフセット部１０が設けられている。
【００４０】
このうち、レベル補正部９は、Ａ／Ｄ変換部５がＡ／Ｄ変換を行う時、送信側ブロック２で認識された伝送元の信号が、受信側ブロック４においても正しく認識されるように信号レベルを補正する部分である。より詳しくは、レベル補正部９は、出力監視部７からの監視結果を取り入れつつ、送信側ブロック２からのアナログ信号の最大値が受信側ブロック４においても最大値として認識されるようにレベル補正を行うようになっている。
【００４１】
レベル補正部９における補正手法としては、送信側ブロック２及び受信側ブロック４での信号レベルにおいて互いに相関が取れるように、オペアンプ増幅値等の調整によって、補正ブロック８にて受信した信号を増幅又は減衰する。また、受信側ブロック４にて、Ａ／Ｄ変換部６の入力読み取りレベルのレンジ幅を変えるようにしたレベル補正も有効である。
【００４２】
また、オフセット部１０は、Ａ／Ｄ変換部６の分解能レンジから最小分解能（デジタルコードの１に相当）の幅を計算して、その幅の半分だけ、値がずれるように信号をオフセットする部分である
【００４３】
（２）本実施形態によるレベル補正
続いて、本実施形態によるレベル補正の具体例について、図２を用いて説明する。図２（Ａ）に示した伝送元（送信側）の信号は、前記図６（Ａ）と同じであり、図２（Ｂ）がレベル補正後を示している。
【００４４】
まず、テスト映像信号として、送信側ブロック２より最大レベルの映像信号（１００％白映像等の信号）を出力する。この最大レベルの映像信号を受信側ブロック４が最大レベルとして読み取っているかどうかについて、出力監視部７が受信側ブロック４から出力されるデジタルコードをモニターすることで監視している。
【００４５】
そして、レベル補正部９が出力監視部７からの監視結果を受け、送信側ブロック２からのアナログ信号の最大値が受信側ブロック４においても最大値として認識されるように、レベル補正部９のオペアンプ増幅値等によりアナログ信号を増幅又は減衰してレベル補正を行う。
【００４６】
レベル補正を行った結果、図２（Ｂ）に示すように、送信元（送信側）でのＭＡＸ『２０』は、伝送先（受信側）でも同じくＭＡＸ『２０』となる。これにより、受信側ブロック４において本来の信号レベルと同じ大きさで扱うことができ、Ａ／Ｄ変換部６にて正確なＡ／Ｄ変換処理を実施することが可能である。
【００４７】
なお、送受信での信号レベルの大小は相対的なので、図２の場合とは逆に、受信側ブロック４の方が送信側ブロック２よりも小さくなることもある。この時は、レベル補正部９により伝送元（送信側）の信号を減衰することで、受信側ブロック４にて本来の信号レベルと同じ大きさで扱うようにすることが可能である。
【００４８】
（３）本実施形態によるオフセット処理
次に、本実施形態によるオフセット処理について、図３を用いて説明する。
オフセット部１０は、Ａ／Ｄ変換部６の分解能レンジから最小分解能の幅を計算し、その幅の半分だけ値がずれるように信号をオフセットする（０．１２５Ｖ）。したがって、本来の信号は各分解能幅の中央に来ることになる。
【００４９】
そのため、アナログ伝送される信号に外来ノイズが混入しても、ノイズによる微振動はＡ／Ｄ変換時の分解能閾値を跨ぐことがなく、分解能幅の中に収まることができる。前記図５と比べると明らかなように、図３ではノイズも『４』又は『８』の範囲で安定することができる。
【００５０】
（４）本実施形態の作用効果
以上の本実施形態の作用効果は次の通りである。すなわち、Ａ／Ｄ変換部６にてＡ／Ｄ変換を行う際、送信側ブロック２で認識された伝送元の信号について、受信側ブロック４にて正しく認識されるように、レベル補正部９により信号レベルを補正することができる。
【００５１】
すなわち、レベル補正部９によって信号レベルの補正を行うことで、送信側ブロック２でピークレベルとして認識された信号は、受信側ブロック４でも同じくピークレベルとして認識されることになり、また各中間レベルについても、送信側ブロック２及び受信側ブロック４にて、相対的なレベルを正しく認識することができる。
【００５２】
したがって、Ａ／Ｄ変換部６において、伝送元のデータに忠実に、正しくデジタルコード処理を実施することが可能である。この結果、アナログ伝送される伝送元の信号レベルに関して、受信手段側での信号の誤認識を回避することができ、正確な信号伝送が実現する。
【００５３】
さらに本実施形態では、オフセット部１０により本来の信号を各分解能幅の中心に配置させることで、アナログ伝送される信号に外来ノイズが混入したとしても、ノイズによる微振動はＡ／Ｄ変換時の分解能閾値を跨ぐことがない。これにより、アナログ伝送時に信号に混入した外来ノイズの無効化が可能となり、本来の信号だけが受信側デジタルコードに出力される。したがって、Ａ／Ｄ変換時のデジタル出力値を本来の信号として確実に扱うことができる。
【００５４】
また、上記の実施形態では、出力監視部７が受信側ブロック４の出力するデジタルコードを常時モニターするので、送信側と受信側とで認識レベルがずれていないかどうかをリアルタイムで把握することができ、常に正確なレベル補正を実施することが可能である。
【００５５】
しかも、ノイズの無効化は、送受信に関わる部品や回路におけるバラ付きにも有効であって、開発における工数の軽減化を進めることができ、生産効率及び経済性が向上する。また、本実施形態においては、アナログ信号の伝送路３の距離がたとえ長くても、受信側ブロック４の直近に補正ブロック８を配置したので、高精度な補正を確実に実施することができる。
【００５６】
さらに、本実施形態のレベル補正部９では、送信側の最大値を受信側においても最大値として認識するようにしてレベル補正を実施しているので、信号の最大値を基準としたことにより、中間レベル域における誤差も吸収し易い。したがって、より正確な信号伝送が可能になる。
【００５７】
（５）他の実施形態
なお、本発明は以上の実施形態に限定されるものではなく、各部材の構成や配置等は適宜変更可能である。例えば、レベル補正手段の補正手法も適宜選択可能であって、送信側ブロックのＤ／Ａ変換部５の出力増幅レベルを変化させてことで、レベル補正を行っても良い。
【００５８】
また、オフセットの調整手法についても、送信側ブロック２でのオフセット調整、補正ブロック８でのバイアスレベル印加によるオフセット調整、受信側ブロック４における入力レベルオフセット調整等、自由に選択することができる。
【図面の簡単な説明】
【００５９】
【図１】本発明に係る代表的な実施形態の構成図。
【図２】本実施形態によるレベル補正を説明するためのグラフ。
【図３】本実施形態によるオフセットを説明するためグラフ。
【図４】従来の信号伝送システムにおける送受信間での誤認識を説明するためのグラフ。
【図５】従来の信号伝送システムにおけるノイズの影響を説明するためのグラフ。
【符号の説明】
【００６０】
１…メモリ媒体
２…送信側ブロック
３…アナログ伝送路
４…受信側ブロック
５…Ｄ／Ａ変換部
６…Ａ／Ｄ変換部
７…出力監視部
８…補正ブロック
９…レベル補正部
１０…オフセット部
【図１】
2010213110.tif 000003
【図２】
2010213110.tif 000004
【図３】
2010213110.tif 000005
【図４】
2010213110.tif 000006
【図５】
2010213110.tif 000007